(57)【要約】【課題】本発明は、可搬式空気調和装置の運転設定方法に関するもので、使い勝手を良くする事を目的とする。【解決手段】端末装置１３のメモリ１８には、可搬式空気調和装置６の各運転設定状態が記憶されているので、希望する可搬式空気調和装置６の運転状態を、端末装置の６入力部１７によって表示部１６に表示させ、この状態で、この端末装置１３の通信部１４と可搬式空気調和装置６の通信部９間で通信を行わせれば、可搬式空気調和装置６の運転状態を、容易に設定することができ、極めて使い勝手の良いものとなるのである。【選択図】図２
2015014424.tif 000002
【特許請求の範囲】
【請求項１】
可搬式空気調和装置と、この可搬式空気調和装置の運転設定を行う端末装置とを備え、前記可搬式空気調和装置はファンと、このファンに接続された第１の制御部と、この第１の制御部に接続された第１の通信部、および第１のメモリとを有し、前記端末装置は、前記可搬式空気調和装置の第１の通信部と交信する第２の通信部と、この第２の通信部に接続された第２の制御部と、この第２の制御部に接続された表示部、入力部、第２のメモリとを有し、前記端末装置の入力部で可搬式空気調和装置の運転設定を行うとともに、設定した運転状態を、この端末装置の第２のメモリに記憶させ、この第２のメモリに記憶させた可搬式空気調和装置の運転設定を、前記入力部によって表示部に表示させた状態で、この端末装置の第２の通信部と前記可搬式空気調和装置の第１の通信部間で通信を行わせる可搬式空気調和装置の運転設定方法。
【発明の詳細な説明】
【技術分野】
【０００１】
本発明は、可搬式空気調和装置の運転設定方法に関するものである。
【背景技術】
【０００２】
空気調和装置の運転設定を行うリモコンに、カードを差し込むことによって、使用者各人に応じた運転設定を行うものがある（例えば下記特許文献１）。
【０００３】
すなわち、カードには使用者各人の好みに応じた運転設定状態が記録されており、このカードをリモコンに差し込むことで、空気調和装置を使用者各人に応じた運転が行えるように設定するようになっているのである。
【先行技術文献】
【特許文献】
【０００４】
【特許文献１】特開平２−１００５９９号公報
【発明の概要】
【発明が解決しようとする課題】
【０００５】
上述の従来例では、使用者各人ごとにカードを準備する必要があり、その管理が面倒で、使い勝手の悪いものであった。
【０００６】
そこで、本発明は、使い勝手をよくすることを目的とするものである。
【課題を解決するための手段】
【０００７】
そして、この目的を達成するために、本発明は、可搬式空気調和装置と、この可搬式空気調和装置の運転設定を行う端末装置とを備え、前記可搬式空気調和装置はファンと、このファンに接続された第１の制御部と、この第１の制御部に接続された第１の通信部、および第１のメモリとを有し、前記端末装置は、前記可搬式空気調和装置の第１の通信部と交信する第２の通信部と、この第２の通信部に接続された第２の制御部と、この第２の制御部に接続された表示部、入力部、第２のメモリとを有し、前記端末装置の入力部で可搬式空気調和装置の運転設定を行うとともに、設定した運転状態を、この端末装置の第２のメモリに記憶させ、この第２のメモリに記憶させた可搬式空気調和装置の運転設定を、前記入力部によって表示部に表示させた状態で、この端末装置の第２の通信部と前記可搬式空気調和装置の第１の通信部間で通信を行わせるものであり、これにより初期の目的を達成するものである。
【発明の効果】
【０００８】
以上のように本発明は、可搬式空気調和装置と、この可搬式空気調和装置の運転設定を行う端末装置とを備え、前記可搬式空気調和装置はファンと、このファンに接続された第１の制御部と、この第１の制御部に接続された第１の通信部、および第１のメモリとを有し、前記端末装置は、前記可搬式空気調和装置の第１の通信部と交信する第２の通信部と、この第２の通信部に接続された第２の制御部と、この第２の制御部に接続された表示部、入力部、第２のメモリとを有し、前記端末装置の入力部で可搬式空気調和装置の運転設定を行うとともに、設定した運転状態を、この端末装置の第２のメモリに記憶させ、この第２のメモリに記憶させた可搬式空気調和装置の運転設定を、前記入力部によって表示部に表示させた状態で、この端末装置の第２の通信部と前記可搬式空気調和装置の第１の通信部間で通信を行わせるので、極めて使い勝手の良いものとなる。
【０００９】
すなわち、本発明では、端末装置の第２のメモリには、可搬式空気調和装置の各運転設定状態が記憶されているので、希望する可搬式空気調和装置の運転状態を、端末装置の入力部によって表示部に表示させ、この状態で、この端末装置の第２の通信部と前記可搬式空気調和装置の第１の通信部間で通信を行わせれば、可搬式空気調和装置の運転状態を、容易に設定することができ、極めて使い勝手の良いものとなるのである。
【００１０】
また、可搬式空気調和装置は、例えば、リビング・ダイニングから寝室に持ち運んだ状態でも使われるものであり、その時にも、端末装置の第２のメモリに、寝室における可搬式空気調和装置の運転設定状態を記憶されていれば、端末装置の入力部によって寝室における可搬式空気調和装置の運転設定状態を表示部に表示させ、この状態で、この端末装置の第２の通信部と前記可搬式空気調和装置の第１の通信部間で通信を行わせれば、寝室における可搬式空気調和装置の運転状態を、容易に設定することができ、極めて使い勝手の良いものとなるのである。
【図面の簡単な説明】
【００１１】
【図１】本発明の実施の形態１の設置状態を示す図
【図２】同回路ブロック図
【図３】同動作フローチャート
【図４】同動作フローチャート
【図５】同端末装置を示す図
【図６】同端末装置を示す図
【図７】同端末装置を示す図
【図８】同端末装置を示す図
【図９】同端末装置を示す図
【図１０】同端末装置を示す図
【図１１】同端末装置を示す図
【図１２】同端末装置を示す図
【図１３】同端末装置を示す図
【図１４】同端末装置を示す図
【発明を実施するための形態】
【００１２】
以下、本発明の実施の形態について図面を参照しながら説明する。
【００１３】
（実施の形態１）
図１は住居を示し、この住居では、居住空間として、リビング・ダイニング１、キッチン２、子供部屋３、寝室４、和室５が設けられている。
【００１４】
この図１では、例えばリビング・ダイニング１に可搬式空気調和装置６が置かれた状態となっている。
【００１５】
可搬式空気調和装置６は、この実施形態では、室内空気を浄化するもので、図２に示すようにファン７と、このファン７に接続された制御部８と、この制御部８に接続された通信部９、メモリ１０、電源スイッチ１１、加湿部１２等を備えている。
【００１６】
また、この図２には図示していないが、可搬式空気調和装置６には、室内空気を浄化するためのエアーフィルタが設けられており、前記ファン７を駆動すれば、エアーフィルタによる室内空気浄化や、加湿部１２による加湿運転が行えるようになっている。
【００１７】
本実施形態では、この可搬式空気調和装置６の運転設定は端末装置１３（例えば携帯電話）にて設定するようにしている。
【００１８】
端末装置１３は、この図２に示すように、前記可搬式空気調和装置６の通信部９と交信する通信部１４と、この通信部１４に接続された制御部１５と、この制御部１５に接続された表示部１６、入力部１７、メモリ１８、携帯電話用の通信部１９、通話用のマイク２０、スピーカー２１とを有している。
【００１９】
前記可搬式空気調和装置６の通信部９と、端末装置１３の通信部１４は、いわゆる近距離通信器によって構成されており、例えば、電車の駅改札と同じように、これらの通信部９、１４を接近させれば、可搬式空気調和装置６と、端末装置１３の通信が行われるようになっている。
【００２０】
具体的には、本実施形態では、前記端末装置１３の入力部１７で可搬式空気調和装置６の運転設定を行うとともに、設定した運転状態を、この端末装置１３のメモリ１８に記憶させる。そして、このメモリ１８に記憶させた可搬式空気調和装置６の運転設定を、前記入力部１７によって表示部１６に表示させた状態で、この端末装置１３の通信部１４と前記可搬式空気調和装置６の通信部９間で通信を行わせ、これによって可搬式空気調和装置６の運転設定を行うようになっている。
【００２１】
その一例を説明すると、先ずは、端末装置１３の入力部１７（表示部１６に表示されている）を操作し、表示部１６に図５に示す表示を表出させる。
【００２２】
表示部１６には、この図５に示すように１０個の設問が表示されているので、各設問に答えることで、使用場所における個人設定が行えるようになっている。
【００２３】
例えば、設問４は、使用場所を入力するもので、この設問に接触すると、表示部１６の表示は、図６へと切り替わるので、この図６から使用場所を選択する。
【００２４】
図７はこのようにして、１０個の設問に答えた状態を示し、この図７では、運転状態は「加湿空気浄化状態」「２４時間運転」「部屋の広さは１０〜１９畳」「使用場所はリビング・ダイニング」「ハウスダクトが気になる」「湿度は気にならない」「ペットは飼っていない」「室内でタバコは吸わない」「花粉症である」「乳幼児はいない」と応えた状態を示している（図３のＳ１）。
【００２５】
そして、この状態で、図７における表示部１６の内容を確認し、続いて診断キー１７ａを操作すると、制御部１５は、これら１０個の設問に対応する最適な可搬式空気調和装置６の運転は図８の状態であると、表示部１６に表示させる（図３のＳ２、Ｓ３）。
【００２６】
そして、この図８の表示内容を確認するために、確認キー１７ｂを操作すると、表示部１６は図９の状態へと移行し、表示部１６に設定状態を表示する（図３のＳ４）。
【００２７】
そして、この図９においてこの設定状態を確認し（図３のＳ５）、この内容で、可搬式空気調和装置６の運転設定をするときには、操作キー１７ｃを操作する。
【００２８】
すると、表示部１６の表示は図１０へと移行し、この状態で端末装置１３を可搬式空気調和装置６に近接させ、端末装置１３の通信部１４と可搬式空気調和装置６の通信部９間で通信を行わせれば、図９の状態で、可搬式空気調和装置６の運転設定が行われる。
【００２９】
また、この図１０の状態で、操作キー１７ｄを操作すれば、表示部１６の表示は図１１へと移行する。
【００３０】
そして、この図１１にて操作キー１７ｅを操作すれば、お気に入りの登録がなされる（図３のＳ６、Ｓ７）。
【００３１】
そして、この状態で、可搬式空気調和装置６を運転開始へと進める（図３のＳ８）。
【００３２】
なお、お気に入りの登録では、図１１のお気に入り名称を図１２のごとく、例えば「３／２０リビング・ダイニング」とか、「１２／１０寝室」とかに変更することが出来、登録後には、表示部１６には図１３のごとく、いわゆるアイコン状態で「３／２０リビング・ダイニング」や、「１２／１０寝室」が表示される。
【００３３】
また、図８の状態で、操作キー１７ｃを操作し、表示部１６の表示を図１０へと移行させることもできる。
【００３４】
さらに、図１０の状態からお気に入り登録をせずに、運転開始へと進めることもできる（図３のＳ８）。
【００３５】
図１３は、上記操作によりいくつかのお気に入り登録を済ませ、表示部１６にその登録リストをアイコン表示させたものである。
【００３６】
例えばリビング・ダイニング１に置かれた可搬式空気調和装置６を図１のごとく、寝室４に移動して使用する場合には、図１３の状態から「１２／１０寝室」を操作する（図４のＳ１）。
【００３７】
すると、表示部１６は図１４の状態へと移行するので、この内容を確認する（図４のＳ２）。設定内容を確認したら、そのまま運転開始へと進めることとなる（図４のＳ７）。
【００３８】
また、この図１４の状態では内容変更が可能なので、修正した場合には、再度お気に入り設定もできる（図４のＳ３、Ｓ４、Ｓ５、Ｓ６）。すなわち、図１４の右側に表示された各設定情報を修正することが可能となっている。そして、修正後の情報は、再度お気に入りに登録することもできるし、登録せずに修正した内容で運転することもできる。
【００３９】
つまり、本実施形態では、端末装置１３にお気に入り登録が出来るので、その設定から、移動後の可搬式空気調和装置６の運転設定を簡単に行うことが出来るので、極めて使い勝手の良いものとなるのである。
【産業上の利用可能性】
【００４０】
以上のように本発明は、端末装置の第２のメモリには、可搬式空気調和装置の各運転設定状態が記憶されているので、希望する可搬式空気調和装置の運転状態を、端末装置の入力部によって表示部に表示させ、この状態で、この端末装置の第２の通信部と前記可搬式空気調和装置の第１の通信部間で通信を行わせれば、可搬式空気調和装置の運転状態を、容易に設定することができ、極めて使い勝手の良いものとなるのである。
【００４１】
また、可搬式空気調和装置は、例えば、リビング・ダイニングから寝室に持ち運んだ状態でも使われるものであり、その時にも、端末装置の第２のメモリに、寝室における可搬式空気調和装置の運転設定状態を記憶されていれば、端末装置の入力部によって寝室における可搬式空気調和装置の運転設定状態を表示部に表示させ、この状態で、この端末装置の第２の通信部と前記可搬式空気調和装置の第１の通信部間で通信を行わせれば、寝室における可搬式空気調和装置の運転状態を、容易に設定することができ、極めて使い勝手の良いものとなるのである。
【００４２】
したがって、空気清浄機などの空気調和装置などの運転設定として活用される。
【符号の説明】
【００４３】
１  リビング・ダイニング
２  キッチン
３  子供部屋
４  寝室
５  和室
６  可搬式空気調和装置
７  ファン
８  制御部
９  通信部
１０  メモリ
１１  電源スイッチ
１２  加湿部
１３  端末装置
１４  通信部
１５  制御部
１６  表示部
１７  入力部
１８  メモリ
１９  通信部
２０  マイク
２１  スピーカー
【図１】
2015014424.tif 000003
【図２】
2015014424.tif 000004
【図３】
2015014424.tif 000005
【図４】
2015014424.tif 000006
【図５】
2015014424.tif 000007
【図６】
2015014424.tif 000008
【図７】
2015014424.tif 000009
【図８】
2015014424.tif 000010
【図９】
2015014424.tif 000011
【図１０】
2015014424.tif 000012
【図１１】
2015014424.tif 000013
【図１２】
2015014424.tif 000014
【図１３】
2015014424.tif 000015
【図１４】
2015014424.tif 000016